(57)【要約】【課題】  一対の可動接点を一対の固定接点に対して安定的に接離させ、各可動接点と各固定接点との接触ポイントを安定させる。【解決手段】  ソレノイドコイル、可動鉄芯、ヨーク２３、別のヨークによりなる電磁石装置と、一対の固定端子と、可動接触子４と、シャフト５と、これらを収納する器体とを備え、電磁石装置により可動鉄芯を一の軸に沿って進退動させることにより、シャフト５を介して一対の可動接点を一対の固定接点に対してそれぞれ接離する電磁開閉装置において、ヨーク２３およびシャフト５の保持部５１に、シャフト５が一の軸に沿って移動している間中、互いに嵌合する嵌合部２３１，５１１をそれぞれ設け、これら嵌合部２３１，５１１を、一の軸の一端側または他端側から見て角を持つ形状に形成した。【選択図】図１
2005026183.tif 000002
【特許請求の範囲】
【請求項１】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記各接続部を外部に露出させた状態で前記一対の固定端子の固定接点側を内部に収納するとともに、前記可動接触子、前記シャフトおよび前記電磁石装置を内部に収納する器体とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記第１ヨークおよび前記保持部の各々は、前記シャフトが前記一の軸に沿って移動している間中、互いに嵌合する嵌合部を有し、これらの各嵌合部は、前記一の軸の一端側または他端側から見て角を持つ形状に形成されていることを特徴とする電磁開閉装置。
【請求項２】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記各接続部を外部に露出させた状態で前記一対の固定端子の固定接点側を内部に収納するとともに、前記可動接触子、前記シャフトおよび前記電磁石装置を内部に収納する器体とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記可動接触子を前記一の軸と直交する方向に伸びる形状に形成し、前記シャフトが前記一の軸に沿って移動している間中、前記可動接触子の長手方向に沿う両側を少なくとも囲む絶縁性の囲み部材を前記器体内部に収納し、その囲み部材に近接する突起を前記可動接触子の長手方向に沿う両側に複数設けてなることを特徴とする電磁開閉装置。
【請求項３】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記各接続部を外部に露出させた状態で前記一対の固定端子の固定接点側を内部に収納するとともに、前記可動接触子、前記シャフトおよび前記電磁石装置を内部に収納する器体とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記可動接触子を前記一の軸と直交する方向に伸びる形状に形成し、前記可動接触子と前記第１ヨークとの間に絶縁部材を設け、この絶縁部材に、前記シャフトが前記一の軸に沿って移動している間中、前記可動接触子の長手方向に沿う両側に近接する複数の挟み部を形成してなることを特徴とする電磁開閉装置。
【請求項４】
前記一の軸の一端側に開口を持つ箱状に形成され、底部の前記一の軸上に前記シャフトを挿通するための挿通孔を有し、前記可動接触子と前記第１ヨークとの間に設けられる絶縁部材を、複数の弾性保持部材で保持し、これら複数の弾性保持部材の各々を、前記絶縁部材の側周部を外側から囲繞する筒部材の内面と前記第１ヨークにおける前記一の軸の一端側の面とで支持することを特徴とする請求項１から３のいずれかに記載の電磁開閉装置。
【請求項５】
前記一の軸の一端側に開口を持つ箱状に形成され、底部の前記一の軸上に前記シャフトを挿通するための挿通孔を有し、前記可動接触子と前記第１ヨークとの間に設けられる絶縁部材における当該開口の縁部側に、ダボまたはばね性を付与し、前記一の軸の他端側に開口を持つ箱状に形成され、底部に前記一対の固定端子の各固定接点側を挿通するための挿通孔を有し、前記可動接触子を取り囲む囲み部材における当該開口の縁部側に、前記絶縁部材の開口の縁部側を当接してなることを特徴とする請求項１から３のいずれかに記載の電磁開閉装置。
【請求項６】
前記一の軸の一端側に開口を持つ箱状に形成され、底部の前記一の軸上に前記シャフトを挿通するための挿通孔を有し、前記可動接触子と前記第１ヨークとの間に設けられる絶縁部材における前記各可動接点の近傍に、一対の磁石または磁性体を対向配置してなることを特徴とする請求項１から５のいずれかに記載の電磁開閉装置。
【請求項７】
前記絶縁部材における前記各可動接点の近傍に対向配置した前記一対の磁石または磁性体に、ばね性を付与し、前記一の軸の他端側に開口を持つ箱状に形成され、底部に前記一対の固定端子の各固定接点側を挿通するための挿通孔を有し、前記可動接触子を取り囲む囲み部材における当該開口の縁部側に、前記磁石または磁性体を当接してなることを特徴とする請求項６記載の電磁開閉装置。
【請求項８】
前記一の軸の一端側に開口を持つ箱状に形成され、底部の前記一の軸上に前記シャフトを挿通するための挿通孔を有し、前記可動接触子と前記第１ヨークとの間に設けられる絶縁部材における側周部の外面に、一対の磁石とこれら一対の磁石を両端にそれぞれ保持するヨークとを二組配置してなることを特徴とする請求項１から５のいずれかに記載の電磁開閉装置。
【請求項９】
前記一対の固定端子と、前記第１ヨークと、底部に前記一対の固定端子の各固定接点側を挿通するための挿通孔を有し、前記可動接触子を取り囲む囲み部材と、この囲み部材の縁部と前記第１ヨークとの間に介設される筒部材と、前記一の軸の一端側に開口を有する有底筒状に形成され、前記中空部に設けられて前記可動鉄芯を収納した状態で前記第１ヨークの挿通孔を前記一の軸の他端側から閉塞する案内筒とを気密接合して気密空間を形成し、この気密空間に水素または水素を主体とするガスを気密封止してなることを特徴とする請求項１から８のいずれかに記載の電磁開閉装置。
【発明の詳細な説明】
【技術分野】
【０００１】
本発明は、例えば、電力で走行する移動体において電路の開閉に用いられる電磁開閉装置に関するものである。
【背景技術】
【０００２】
従来、この種の電磁開閉装置は、種々提案されまた市販されている。例えば、特許文献１には、可動接触子の中間部を保持するホルダ部を一端部に備えるとともに可動鉄芯に挿通された形で可動鉄芯に固定される連結軸部を他端部に備えた接触子ホルダを介して電磁石装置と接点機構とが結合され、接触子ホルダの中間部に設けた係止部と案内筒の内底面との間に弾性材料からなるダンパが設けられている電磁開閉装置（接点装置）が記載されている。
【特許文献１】特開２００２−４２６２８号公報
【発明の開示】
【発明が解決しようとする課題】
【０００３】
しかしながら、上記従来の電磁開閉装置などのように、接触子ホルダなどのシャフトで可動鉄芯の進退動を伝達して、可動接触子の一対の可動接点を一対の固定接点に対して接離する構成では、その可動接触子の一対の可動接点が一対の固定接点に対して接離する場合に接触ポイントがずれるおそれがあった。
【０００４】
本発明は、上記事情に鑑みてなされたものであり、一対の可動接点を一対の固定接点に対して安定的に接離させ、各可動接点と各固定接点との接触ポイントを安定させることができる電磁開閉装置を提供することを目的とする。
【課題を解決するための手段】
【０００５】
請求項１から８に記載の各発明は、一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記各接続部を外部に露出させた状態で前記一対の固定端子の固定接点側を内部に収納するとともに、前記可動接触子、前記シャフトおよび前記電磁石装置を内部に収納する器体とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置である。
【０００６】
そして、請求項１に記載の発明は、前記第１ヨークおよび前記保持部の各々が、前記シャフトが前記一の軸に沿って移動している間中、互いに嵌合する嵌合部を有し、これらの各嵌合部が、前記一の軸の一端側または他端側から見て角を持つ形状に形成されていることを特徴とする。この構成では、保持部および第１ヨークの嵌合部の角同士が係合することにより、シャフトが一の軸回りに回転するのを防止することができるので、一対の可動接点を一対の固定接点に対して安定的に接離させ、各可動接点と各固定接点との接触ポイントを安定させることができる。また、第１ヨークの挿通孔が両嵌合部で閉塞された構造となるので、電磁石装置内への接点で発生する金属粉の侵入を防止することができる。
【０００７】
請求項２に記載の発明は、前記可動接触子を前記一の軸と直交する方向に伸びる形状に形成し、前記シャフトが前記一の軸に沿って移動している間中、前記可動接触子の長手方向に沿う両側を少なくとも囲む絶縁性の囲み部材を前記器体内部に収納し、その囲み部材に近接する突起を前記可動接触子の長手方向に沿う両側に複数設けてなることを特徴とする。この構成では、可動接触子の長手方向に沿う両側に設けられた各突起が囲み部材に近接ないし当接することにより、可動接触子が一の軸回りに回転するのを防止することができるので、一対の可動接点を一対の固定接点に対して安定的に接離させ、各可動接点と各固定接点との接触ポイントを安定させることができる。しかも、可動接触子そのものを一の軸回りに回転するのを防止するので、各可動接点と各固定接点との接触ポイントの安定性が非常に良くなる。
【０００８】
請求項３に記載の発明は、前記可動接触子を前記一の軸と直交する方向に伸びる形状に形成し、前記可動接触子と前記第１ヨークとの間に絶縁部材を設け、この絶縁部材に、前記シャフトが前記一の軸に沿って移動している間中、前記可動接触子の長手方向に沿う両側に近接する複数の挟み部を形成してなることを特徴とする。この構成では、絶縁部材に形成された各挟み部が可動接触子の長手方向に沿う両側に近接ないし当接することにより、絶縁機能を確保しつつ、可動接触子が一の軸回りに回転するのを防止することができるので、一対の可動接点を一対の固定接点に対して安定的に接離させ、各可動接点と各固定接点との接触ポイントを安定させることができる。
【０００９】
請求項４に記載の発明は、請求項１から３のいずれかに記載の電磁開閉装置において、前記一の軸の一端側に開口を持つ箱状に形成され、底部の前記一の軸上に前記シャフトを挿通するための挿通孔を有し、前記可動接触子と前記第１ヨークとの間に設けられる絶縁部材を、複数の弾性保持部材で保持し、これら複数の弾性保持部材の各々を、前記絶縁部材の側周部を外側から囲繞する筒部材の内面と前記第１ヨークにおける前記一の軸の一端側の面とで支持することを特徴とする。この構成では、器体の内部における絶縁部材の位置を安定させることができる。
【００１０】
請求項５に記載の発明は、請求項１から３のいずれかに記載の電磁開閉装置において、前記一の軸の一端側に開口を持つ箱状に形成され、底部の前記一の軸上に前記シャフトを挿通するための挿通孔を有し、前記可動接触子と前記第１ヨークとの間に設けられる絶縁部材における当該開口の縁部側に、ダボまたはばね性を付与し、前記一の軸の他端側に開口を持つ箱状に形成され、底部に前記一対の固定端子の各固定接点側を挿通するための挿通孔を有し、前記可動接触子を取り囲む囲み部材における当該開口の縁部側に、前記絶縁部材の開口の縁部側を当接してなることを特徴とする。この構成では、囲み部材の開口の縁部側に絶縁部材の開口の縁部側を保持させることができるので、一対の固定端子の各固定接点側が挿通される囲み部材に対して、絶縁部材の位置を安定させることができる。
【００１１】
請求項６に記載の発明は、請求項１から５のいずれかに記載の電磁開閉装置において、前記一の軸の一端側に開口を持つ箱状に形成され、底部の前記一の軸上に前記シャフトを挿通するための挿通孔を有し、前記可動接触子と前記第１ヨークとの間に設けられる絶縁部材における前記各可動接点の近傍に、一対の磁石または磁性体を対向配置してなることを特徴とする。この構成では、例えば、アークを引き延ばすため、可動接点（固定接点も）を挟むように一対の磁石を対向配置する構成の場合に、絶縁部材における各可動接点の近傍に、一対の磁石または磁性体を対向配置することにより、消弧磁場を強化することができる。
【００１２】
請求項７に記載の発明は、請求項６記載の電磁開閉装置において、前記絶縁部材における前記各可動接点の近傍に対向配置した前記一対の磁石または磁性体に、ばね性を付与し、前記一の軸の他端側に開口を持つ箱状に形成され、底部に前記一対の固定端子の各固定接点側を挿通するための挿通孔を有し、前記可動接触子を取り囲む囲み部材における当該開口の縁部側に、前記磁石または磁性体を当接してなることを特徴とする。この構成では、囲み部材の開口の縁部側に絶縁部材の開口の縁部側を保持させることができるので、一対の固定端子の各固定接点側が挿通される囲む囲み部材に対して、絶縁部材の位置を安定させることができる。
【００１３】
請求項８に記載の発明は、請求項１から５のいずれかに記載の電磁開閉装置において、前記一の軸の一端側に開口を持つ箱状に形成され、底部の前記一の軸上に前記シャフトを挿通するための挿通孔を有し、前記可動接触子と前記第１ヨークとの間に設けられる絶縁部材における側周部の外面に、一対の磁石とこれら一対の磁石を両端にそれぞれ保持するヨークとを二組配置してなることを特徴とする。この構成では、絶縁機能を確保しつつ、磁石を可動接点側に配置することにより、消弧磁場を強化することができる。
【００１４】
請求項９に記載の発明は、請求項１から８のいずれかに記載の電磁開閉装置において、前記一対の固定端子と、前記第１ヨークと、底部に前記一対の固定端子の各固定接点側を挿通するための挿通孔を有し、前記可動接触子を取り囲む囲み部材と、この囲み部材の縁部と前記第１ヨークとの間に介設される筒部材と、前記一の軸の一端側に開口を有する有底筒状に形成され、前記中空部に設けられて前記可動鉄芯を収納した状態で前記第１ヨークの挿通孔を前記一の軸の他端側から閉塞する案内筒とを気密接合して気密空間を形成し、この気密空間に水素または水素を主体とするガスを気密封止してなることを特徴とする。この構成では、消弧機能を改善することができるとともに、消弧空間を小さくすることができ、もって小型化が可能となる効果を奏することができる。
【発明の効果】
【００１５】
本発明によれば、一対の可動接点を一対の固定接点に対して安定的に接離させ、各可動接点と各固定接点との接触ポイントを安定させることができる。
【発明を実施するための最良の形態】
【００１６】
（実施形態１）
図１は本発明による実施形態１の電磁開閉装置の一部断面図、図２は本発明による各実施形態の電磁開閉装置の基本構成図である。
【００１７】
まず、実施形態１および後述する各実施形態で共通となる基本的な構成について説明する。
【００１８】
各実施形態の電磁開閉装置は、図２に示すように、樹脂製の器体１、電磁石装置２、一対の固定端子３，３、可動接触子４、シャフト５、囲み部材６、絶縁部材７および筒部材８などにより構成され、例えば、電力で走行する移動体において電路の開閉に用いられる。
【００１９】
器体１は、開口（図では正面を向いている）を有する箱状に形成されたボディ１０と、背面側を向く開口を有する箱状に形成されボディ１０の開口を閉塞するカバー（図示せず）とにより構成され、一対の固定端子３，３の各接続部３０を外部に露出させた状態で、一対の固定端子３，３の固定接点３１，３１側を内部に収納するとともに、電磁石装置２、可動接触子４、シャフト５、囲み部材６、絶縁部材７および筒部材８などを内部に収納している。
【００２０】
電磁石装置２は、円筒状に形成され両端部にそれぞれ一対の外向きフランジを有するボビン２０と、この一の軸周りとなるボビン２０の外周面に巻設されるソレノイドコイル２１と、一の軸に沿って移動自在にボビン２０の中空部に設けられる可動鉄芯２２と、一の軸の一端側（図では上側）を向くソレノイドコイル２１の一の端面側に設けられ一の軸上に挿通孔２３ａを持つヨーク２３と、一の軸の他端側（下側）を向くソレノイドコイル２１の他の端面側に設けられるヨーク２４と、可動鉄芯２２における一の軸の一端側に形成された凹所２２ａとヨーク２３との間に介設され、可動鉄芯２２を一の軸の他端側に付勢するばね２５と、一の軸の他端側に底を有する筒状に形成され可動鉄芯２２を一の軸に沿って移動自在に収納する案内筒２６とにより構成されている。
【００２１】
ヨーク２３は、平板状に形成されている。一方、ヨーク２４は、中央に孔２４ａを有する底部２４０と、この底部２４０の内周縁に一の軸の一端側に向けて立設される内壁部２４１と、底部２４０の外周縁に一の軸の一端側に向けて立設される外壁部２４２とを一体に有する形状に形成されている。なお、ソレノイドコイル２１の両端にそれぞれ接続される一対の引出線は図示省略してある。
【００２２】
固定端子３は、ボルト状に形成され、一の軸の一端側にねじ部の接続部３０を配置し、一の軸の他端側の頭部先端に固定接点３１を備えている。ねじ部の接続部３０には、ワッシャＷを介してナットＮが螺合されている。
【００２３】
可動接触子４は、平角長尺状の導電板により構成され、一の軸の他端側に開口する凹所４０ａを中央部４０に有しているほか、一対の固定端子３，３の固定接点３１，３１に対してそれぞれ接離する一対の可動接点４１，４１を両端に有している。
【００２４】
シャフト５は、ばね５０により、一対の可動接点４１，４１を一対の固定接点３１，３１の側に付勢した状態で一の軸に沿って移動自在に、可動接触子４の中央部４０を保持する保持部５１と、この保持部５１から一の軸の他端側に伸びてヨーク２３の挿通孔２３ａを通り可動鉄芯２２に固定される連結軸５２とを一体に有する形状に構成されている。
【００２５】
囲み部材６は、例えばセラミックにより一の軸の他端側に開口６ａを持つ箱状に形成され、底部６０に一対の固定端子３，３の各固定接点３１側を挿通するための挿通孔６０ａを有している。
【００２６】
絶縁部材７は、絶縁材料により一の軸の一端側に開口７ａを持つ箱状に形成され、底部７０の一の軸上にシャフト５を挿通するための挿通孔７０ａを有し、可動接触子４とヨーク２３との間に設けられている。
【００２７】
筒部材８は、例えば金属製であり、絶縁部材７の側周部７１を外側から囲繞するように、囲み部材６の開口縁部６１１とヨーク２３（の上面）との間に介設されている。そして、筒部材８における一の軸の他端側の開口縁部には、外向きのフランジ８１が形成されている。
【００２８】
上記構成の電磁開閉装置を、例えば電気自動車に使用した場合に、電磁石装置２により可動鉄芯２２を一の軸に沿って進退動させると、シャフト５を介して、可動接触子４の一対の可動接点４１，４１が一対の固定端子３，３の固定接点３１，３１に対してそれぞれ接離する。つまり、一対の引出線に通電をして、可動鉄芯２２を一の軸に沿って進出させると、一対の可動接点４１，４１が一対の固定端子３，３の固定接点３１，３１にそれぞれ接触する。一方、上記通電を停止して、電磁石装置２のばね２５により可動鉄芯２２を一の軸に沿って退行させると、一対の可動接点４１，４１が一対の固定端子３，３の固定接点３１，３１からそれぞれ離隔する。これにより、一対の固定端子３，３の接続部３０，３０間が可動接触子４を介して電気的に開閉し、電路が開閉されることになる。
【００２９】
次に、実施形態１の特徴部分について説明すると、実施形態１の電磁開閉装置は、図１に示すように、ヨーク２３およびシャフト５の保持部５１が、シャフト５が一の軸に沿って移動している間中、互いに嵌合する嵌合部２３１，５１１をそれぞれ有し、それらの嵌合部２３１，５１１は、一の軸の一端側または他端側から見て角を持つ形状に形成されている。図１では、嵌合部２３１は、ヨーク２３における一の軸の一端側の面（上面）に突設された凸部になっており、一の軸の一端側（上側）から見た形状が矩形状になっている。一方、嵌合部５１１は、嵌合部２３１と嵌合する凹部になっており、一の軸の他端側（下側）から見た形状が矩形状になっている。
【００３０】
上記構成の実施形態１では、ヨーク２３および保持部５１の嵌合部２３１，５１１の各角同士が係合することにより、シャフト５が一の軸回りに回転するのを防止することができるので、一対の可動接点４１，４１を一対の固定接点３１，３１に対して安定的に接離させ、各可動接点４１と各固定接点３１との接触ポイントを安定させることができる。
【００３１】
また、ヨーク２３の挿通孔２３ａが嵌合部２３１，５１１で閉塞された構造となるので、電磁石装置２内への接点で発生する金属粉の侵入を防止することができる。
【００３２】
（実施形態２）
図３は本発明による実施形態２の電磁開閉装置の一部断面図である。
【００３３】
実施形態２の電磁開閉装置は、図３に示すように、可動接触子４を一の軸と直交する方向（図では左右方向）に伸びる形状に形成し、シャフト５が一の軸に沿って移動している間中、可動接触子４の長手方向に沿う両側を囲む絶縁性の囲み部材６を器体１の内部に収納する基本構成となっている。
【００３４】
そして、実施形態２の特徴として、囲み部材６の側周部６１の内面６１ａに近接する突起４２を可動接触子４の長手方向に沿う両側に複数設けた構成になっている。図３では、可動接触子４の中央部４０の各隅部近傍に突起４２が突設されている。
【００３５】
上記構成の実施形態２では、可動接触子４の長手方向に沿う両側に設けられた各突起４２が、囲み部材６の側周部６１の内面６１ａに近接ないし当接することにより、可動接触子４が一の軸回りに回転するのを防止することができるので、一対の可動接点４１，４１を一対の固定接点３１，３１に対して安定的に接離させ、各可動接点４１と各固定接点３１との接触ポイントを安定させることができる。しかも、可動接触子４そのものを一の軸回りに回転するのを防止するので、各可動接点４１と各固定接点３１との接触ポイントの安定性が非常に良くなる。
【００３６】
（実施形態３）
図４は本発明による実施形態３の電磁開閉装置の一部断面図である。
【００３７】
実施形態３の電磁開閉装置は、図４に示すように、可動接触子４を一の軸と直交する方向に伸びる形状に形成し、可動接触子４とヨーク２３との間に絶縁部材７を設けた基本構成になっている。
【００３８】
そして、実施形態３の特徴として、シャフト５が一の軸に沿って移動している間中、可動接触子４の長手方向に沿う両側に近接する複数の挟み部７１２を絶縁部材７に形成した構成になっている。図４では、各挟み部７１２は、可動接触子４の長手方向に沿う両側に近接するように、絶縁部材７の開口縁部７１１から一の軸の一端側に向けて一体に延設されている。
【００３９】
上記構成の実施形態３では、絶縁部材７に形成された各挟み部７１２が可動接触子４の長手方向に沿う両側に近接ないし当接することにより、絶縁機能を確保しつつ、可動接触子４が一の軸回りに回転するのを防止することができるので、一対の可動接点４１，４１を一対の固定接点３１，３１に対して安定的に接離させ、各可動接点４１と各固定接点３１との接触ポイントを安定させることができる。
【００４０】
（実施形態４）
図５は本発明による実施形態４の電磁開閉装置の一部断面図である。
【００４１】
実施形態４の電磁開閉装置は、図５に示すように、絶縁部材７の側周部７１を外側から囲繞する筒部材８を、囲み部材６の開口縁部６１１とヨーク２３における一の軸の一端側の面との間に介設した基本構成になっている。
【００４２】
そして、実施形態４の特徴として、可動接触子４とヨーク２３との間に設けられる絶縁部材７を、断面Ｕ字状に形成さればね性を持つ複数の金属製の弾性保持部材７２で保持し、これら複数の弾性保持部材７２の各々を、絶縁部材７の側周部７１を外側から囲繞する筒部材８の内面とヨーク２３における一の軸の一端側の面とで支持する構成になっている。
【００４３】
上記構成の実施形態４では、器体１の内部における絶縁部材７の位置を安定させることができる。
【００４４】
（実施形態５）
図６は本発明による実施形態５の電磁開閉装置の一部断面図である。
【００４５】
実施形態５の電磁開閉装置は、図６に示すように、一の軸の一端側に開口７ａを持つ箱状に形成され、底部７０の一の軸上にシャフト５を挿通するための挿通孔７０ａを有し、可動接触子４とヨーク２３との間に設けられる絶縁部材７における開口縁部７１１の外側に、ダボまたはばね性（図ではダボ７１１ａ）を付与し、一の軸の他端側に開口６ａを持つ箱状に形成され、底部６０に一対の固定端子３，３の各固定接点３１側を挿通するための挿通孔６０ａを有し、可動接触子４を取り囲む囲み部材６における開口縁部６１１の内側に、絶縁部材７の開口縁部７１１の外側を当接した構成になっていることを特徴とする。
【００４６】
上記構成の実施形態５では、囲み部材６の開口縁部６１１側に絶縁部材７の開口縁部７１１側を保持させることができるので、一対の固定端子３，３の各固定接点３１側が挿通される囲み部材６に対して、絶縁部材７の位置を安定させることができる。
【００４７】
（実施形態６）
図７は本発明による実施形態６の電磁開閉装置の一部断面図である。
【００４８】
実施形態６の電磁開閉装置は、図７に示すように、一の軸の一端側に開口７ａを持つ箱状に形成され、底部７０の一の軸上にシャフト５を挿通するための挿通孔７０ａを有し、可動接触子４とヨーク２３との間に設けられる絶縁部材７における各可動接点４１の近傍に、可動接点４１を間に挟む一対の磁石（永久磁石）または磁性体（図では一対の磁石７３，７３）を対向配置した構成になっていることを特徴とする。
【００４９】
そして、実施形態６では、囲み部材６の側周部６１を外側から挟み込むとともに可動接点４１を間に挟んで対向配置される一対の磁石６２，６２と、これら一対の磁石６２，６２を両端にそれぞれ保持する断面コ字状のヨーク６３とが、二組設けられている。
【００５０】
各可動接点４１を間に挟んで対向配置される一対の磁石または磁性体（実施形態６では一対の磁石７３，７３）は、その可動接点４１を間に挟んで対向配置される一対の磁石６２，６２間に設けられている。
【００５１】
このように、アークを引き延ばすため、可動接点４１（固定接点３１も）を挟むように一対の磁石６２，６２を対向配置する構成の場合に、絶縁部材７における各可動接点４１の近傍に、一対の磁石または磁性体を対向配置することにより、消弧磁場を強化することができる。
【００５２】
（実施形態７）
図８は本発明による実施形態７の電磁開閉装置の一部断面図である。
【００５３】
実施形態７の電磁開閉装置は、実施形態６において、図８に示すように、絶縁部材７における各可動接点４１の近傍に対向配置した一対の磁石または磁性体（図では磁石７３）に、ばね性を付与し、一の軸の他端側に開口６ａを持つ箱状に形成され、底部６０に一対の固定端子３，３の各固定接点３１側を挿通するための挿通孔６０ａを有し、可動接触子４を取り囲む囲み部材６における開口縁部６１１の内側に、上記磁石または磁性体を当接した構成になっていることを特徴とする。
【００５４】
上記構成の実施形態７では、囲み部材６の開口縁部６１１の側に絶縁部材７の開口縁部７１１の側を保持させることができるので、一対の固定端子３，３の各固定接点３１側が挿通される囲む囲み部材６に対して、絶縁部材７の位置を安定させることができる。
【００５５】
（実施形態８）
図９は本発明による実施形態８の電磁開閉装置の一部断面図である。
【００５６】
実施形態８の電磁開閉装置は、図９に示すように、一の軸の一端側に開口７ａを持つ箱状に形成され、底部７０の一の軸上にシャフト５を挿通するための挿通孔７０ａを有し、可動接触子７とヨーク２３との間に設けられる絶縁部材７における側周部７１の外側に、可動接点４１を間に挟むように対向配置された一対の磁石７３，７３と、これら一対の磁石７３，７３を両端にそれぞれ保持する断面コ字状のヨーク７４とを二組備えることを特徴とする。
【００５７】
上記構成の実施形態８では、実施形態６と同様に、アークを引き延ばすため、可動接点４１（固定接点３１も）を挟むように一対の磁石６２，６２を対向配置する構成の場合に、絶縁部材７における側周部７１の外側に、一対の磁石７３，７３と、これら一対の磁石７３，７３を両端にそれぞれ保持するヨーク７４とを二組配置することにより、消弧磁場を強化することができる。
【００５８】
なお、上記各実施形態において、一対の固定端子３，３と、ヨーク２３と、底部６０に一対の固定端子３，３の各固定接点３１側を挿通するための挿通孔６０ａを有し、可動接触子４を取り囲む囲み部材６と、この囲み部材６の開口縁部とヨーク２３との間に介設される筒部材８と、一の軸の一端側に開口を有する有底筒状に形成され、上記中空部に設けられて可動鉄芯２２を収納した状態でヨーク２３の挿通孔２３ａを一の軸の他端側から閉塞する案内筒２６とを気密接合して気密空間を形成し、この気密空間に水素または水素を主体とするガスを気密封止するようにしてもよい。この構成によれば、消弧機能を改善することができるとともに、消弧空間を小さくすることができ、もって小型化が可能となる効果を奏することができる。
【図面の簡単な説明】
【００５９】
【図１】本発明による実施形態１の電磁開閉装置の一部断面図である。
【図２】本発明による各実施形態の電磁開閉装置の基本構成図である。
【図３】本発明による実施形態２の電磁開閉装置の一部断面図である。
【図４】本発明による実施形態３の電磁開閉装置の一部断面図である。
【図５】本発明による実施形態４の電磁開閉装置の一部断面図である。
【図６】本発明による実施形態５の電磁開閉装置の一部断面図である。
【図７】本発明による実施形態６の電磁開閉装置の一部断面図である。
【図８】本発明による実施形態７の電磁開閉装置の一部断面図である。
【図９】本発明による実施形態８の電磁開閉装置の一部断面図である。
【符号の説明】
【００６０】
１  器体
１０  ボディ
２  電磁石装置
２０  ボビン
２１  ソレノイドコイル
２２  可動鉄芯
２３，２４  ヨーク
２５  ばね
２６  案内筒
３  固定端子
３１  固定接点
４  可動接触子
４１  可動接点
５  シャフト
５１  保持部
５２  連結軸
６  囲み部材
６０  底部
６１  側周部
７  絶縁部材
７０  底部
７１  側周部
８  筒部材
【図１】
2005026183.tif 000003
【図２】
2005026183.tif 000004
【図３】
2005026183.tif 000005
【図４】
2005026183.tif 000006
【図５】
2005026183.tif 000007
【図６】
2005026183.tif 000008
【図７】
2005026183.tif 000009
【図８】
2005026183.tif 000010
【図９】
2005026183.tif 000011